(57)【特許請求の範囲】
【請求項１】
回線から入力される転極パルスを検出する転極パルス検出手段と；
自動着信時に直流ループを捕捉してから所定時間経過後に転極パルスが回線から入力されたか否かに応じて、回線断を判断する判断手段と；
着信時に直流ループを捕捉してから上記所定時間内に転極パルスが検出された割合に応じて、上記所定時間を変更する変更手段と；
を有することを特徴とする通信装置。
【請求項２】
請求項１において、
上記所定時間をユーザの操作に基づいて登録する登録手段を有することを特徴とする通信装置。
【請求項３】
請求項１または請求項２において、
上記転極パルス検出手段によって転極パルスを検出すると、回線断として通信を中断することを特徴とする通信装置。
【請求項４】
回線から入力される転極パルスを検出する転極パルス検出手段と；
自動着信時に呼出信号を検出した後、直流ループを捕捉し、その後、所定時間の経過後から上記転極パルス検出手段による転極パルスの検出を開始する制御手段と；
上記所定時間の経過前に、上記転極パルス検出手段による転極パルスの検出を判定する判定手段と；
上記所定時間の経過前に上記転極パルスを検出する割合が所定割合以上である場合には、上記直流ループ捕捉から転極パルスの検出を開始するまでの所定時間を長くする時間設定手段と；
を有することを特徴とする通信装置。
【請求項５】
請求項４において、
上記所定時間は、最大値をきめて、一定時間ずつ長くしていくことを特徴とする通信装置。
【請求項６】
請求項４または５において、
上記所定時間の最大値を設ける場合に、上記直流ループ捕捉後に転極パルスを検出するまでの時間に基づいて決定することを特徴とする通信装置。
【発明の詳細な説明】
【０００１】
【発明の属する技術分野】
本発明は、特に自動着信時に転極パルスを検出可能なファクシミリ装置等の通信装置に関するものである。
【０００２】
【従来の技術】
従来より、デジタル変換機に接続されたファクシミリ装置では、自動着信時に呼出信号を検出すると、ＣＭＬをオン（直流ループを捕捉）し、ファクシミリ通信を実行していた。
【０００３】
ここで、直流ループを捕捉してファクシミリ通信を実行しているときに、発呼側端末が回線を解放すると、デジタル変換機は着呼側端末に対し、切断信号としての転極パルスを送信する。そして、着呼側端末は、この転極パルスを検出して、すぐに回線断としていた。
【０００４】
【発明が解決しようとする課題】
しかしながら、上記従来例のファクシミリ装置をターミナルアダプタ（ＴＡ）に接続すると、ＴＡはファクシミリ装置がＣＭＬをオンして直流ループを捕捉した後、数百ｍｓ経過後に電圧を供給してくるため、ファクシミリ装置は、これを転極パルスと誤判定し、回線断（直流ループを解放）とすることになり、通信が不可となってしまうという大きな欠点があった。
【０００５】
そこで本発明は、たとえばターミナルアダプタからの電圧を転極パルスと誤判定することなく、適正な通信動作を確保できる通信装置を提供することを目的とする。
【０００６】
【課題を解決するための手段】
本出願の請求項１に係る発明は、回線から入力される転極パルスを検出する転極パルス検出手段と、自動着信時に直流ループを捕捉してから所定時間経過後に転極パルスが回線から入力されたか否かに応じて、回線断を判断する判断手段と、着信時に直流ループを捕捉してから上記所定時間内に転極パルスが検出された割合に応じて、上記所定時間を変更する変更手段とを有することを特徴とする。
【０００７】
また本出願の請求項２に係る発明は、請求項１において、上記所定時間をユーザの操作に基づいて登録する登録手段を有することを特徴とする。また本出願の請求項３に係る発明は、請求項１または２において、上記転極パルス検出手段によって転極パルスを検出すると、回線断として通信を中断することを特徴とする。
【０００８】
また本出願の請求項４に係る発明は、回線から入力される転極パルスを検出する転極パルス検出手段と、自動着信時に呼出信号を検出した後、直流ループを捕捉し、その後、所定時間の経過後から前記転極パルス検出手段による転極パルスの検出を開始する制御手段と、前記所定時間の経過前に、前記転極パルス検出手段による転極パルスの検出を判定する判定手段と、前記所定時間の経過前に前記転極パルスを検出する割合が所定割合以上である場合には、前記直流ループ捕捉から転極パルスの検出を開始するまでの所定時間を長くする時間設定手段とを有することを特徴とする。また本出願の請求項５に係る発明は、請求項４において、前記所定時間は、最大値をきめて、一定時間ずつ長くしていくことを特徴とする。
【０００９】
また本出願の請求項６に係る発明は、請求項４または５において、前記所定時間の最大値を設ける場合に、前記直流ループ捕捉後に転極パルスを検出するまでの時間に基づいて決定することを特徴とする。また本出願の請求項７に係る発明は、自動着信時に呼出信号を検出した後、直流ループを捕捉し、その後、所定時間の経過後から転極パルスの検出を開始することを特徴とする。
【００１０】
上述した請求項１〜３に係る発明では、通信装置の設置環境に応じた転極パルス検出設定を自動的に行うことができる。
【００１１】
また、請求項４〜６に係る発明では、通信装置が通常のＰＳＴＮ（公衆電話回線）に接続された場合、あるいは、ＣＭＬオン後の直流電圧の供給が遅いターミナルアダプタに接続された場合でも通信装置の時間設定手段が自動的に判定して対応でき、かつ、発呼側のユーザがすぐに回線断した場合、着呼側でも１秒程度の遅延で回線を解放でき、無効呼を減らすことができる。
【００１２】
【発明の実施の形態および実施例】
図１は、本発明の一実施例によるファクシミリ装置の構成を示すブロック図である。
【００１３】
ＮＣＵ（網制御装置）２は、電話網をデータ通信等に使用するために、その回線の端末に接続し、電話交換網の接続制御を行なったり、データ通信路への切換えを行なったり、ループの保持を行なうものである。また、ＮＣＵ２は、制御回路２０からの信号レベル（信号線２０ａ）が「０」であれば、電話回線２ａを電話機４側に接続し、信号レベルが「１」であれば、電話回線２ａをファクシミリ装置側に接続するものである。なお、通常状態では、電話回線２ａは、電話機４側に接続されている。
【００１４】
ハイブリッド回路６は、送信系の信号と受信系の信号とを分離し、加算回路１２からの送信信号をＮＣＵ２経由で、電話回線２ａに送出し、相手側からの信号をＮＣＵ２経由で受取り、信号線６ａ経由で、変復調器８に送るものである。
【００１５】
変復調器８は、ＩＴＵ−Ｔ勧告Ｖ．８、Ｖ．２１、Ｖ．２７ｔｅｒ、Ｖ．２９、Ｖ．１７、Ｖ．３４に基づいた変調、および復調を行なうものであり、信号線２０ｃにより、各伝送モードが指定される。この変復調器８は、信号線２０ｂに出力されている信号を入力し、変調データを信号線８ａに出力し、信号線６ａに出力されている受信信号を入力し、復調データを信号線８ｂに出力する。
【００１６】
ＡＮＳａｍ送出回路１０は、ＡＮＳａｍ信号を送出する回路であり、信号線２０ｄに信号レベル「１」の信号が出力されている時には、信号線１０ａにＡＮＳａｍ信号を送出し、信号線２０ｄに信号レベル「０」の信号が出力されている時には、信号線１０ａに何も信号を出力しない。
【００１７】
加算回路１２は、信号線８ａの情報と信号線１０ａの情報とを入力し、加算した結果を信号線１２ａに出力するものである。読取回路１４は、原稿の画像を読取り、この読取り画像データを信号線１４ａに出力するものである。記録回路１６は、信号線２０ｅに出力されている情報を順次１ライン毎に記録するものである。
【００１８】
メモリ回路１８は、読取りデータの生情報、あるいは、符号化した情報を格納したり、また、受信情報、あるいは、復号化した情報等を格納するために使用する。
【００１９】
呼出信号検出回路２２は、回線からの呼出信号を検出する回路であり、信号線２ｂの信号を入力し、呼出信号を検出している場合は、信号線２２ａに信号レベル「１」の信号を出力し、呼出信号を検出していない場合は、信号線２２ａに信号レベル「０」の信号を出力する。
【００２０】
転極パルス検出回路２４は、回線からの転極パルスを検出する回路であり、信号線２ｂの信号を入力し、転極パルスを検出すると、信号線２４ａに転極パルスの検出パルスを発生する。
【００２１】
操作部２６は、ワンタッチダイヤル、短縮ダイヤル、テンキー、＊・＃キー、登録回路２８への登録キー、その他ファンクションキーがあり、押下されたキー情報は信号線２６ａに出力される。
【００２２】
登録回路２８は、自動着信時にＣＭＬオン後から所定時間経過まで転極パルスの検出を行わないように制御するための所定時間を信号線２８ａを介して登録する回路である。
【００２３】
制御回路２０は、本ファクシミリ装置全体を制御するものであり、特に本実施例において、自動着信時に呼出信号を検出した後、直流ループを捕捉し、その後、所定時間経過後から転極パルスの検出を開始するよう制御する。そして、転極パルスを検出すると回線断とし、ファクシミリ通信を中断するよう制御する。ここで、前記所定時間は、ユーザの操作によって登録回路２８に登録したものを用いる。
【００２４】
図２〜図５は、本発明の第１実施例における制御回路２０の制御の流れを示すフローチャートである。
【００２５】
まず、Ｓ０で動作を開始すると、Ｓ２では、上述した登録回路２８に所定時間の初期値として５０ｍｓｅｃを信号線２８ａを介して登録する。
【００２６】
次にＳ４では、信号線２０ａに信号レベル「０」の信号を出力してＣＭＬをオフしと状態とし、Ｓ６では、信号線２０ｄに信号線２０ｄに信号レベル「０」の信号を出力し、ＡＮＳａｍ信号を送信しない状態に保持する。
【００２７】
Ｓ８では、信号線２６ａの情報を入力し、ユーザによる登録回路２８への登録が選択されたか否かを判断し、登録が選択されるとＳ１０に進み、操作部２６より入力した所定時間のデータを登録回路２８に登録する。なお、（ここで、最大時間は２秒とする。そして、Ｓ１２に進む。また、Ｓ８で登録が選択されていないと、Ｓ１０をとばしてＳ１２に進む。
【００２８】
Ｓ１２では、自動着信モードであるか否かを判断し、自動着信モードであるとＳ１４に進み、自動着信モードでないとＳ１６に進み、その他の処理をして、Ｓ４に進む。
【００２９】
Ｓ１４では、信号線２２ａの情報を入力し、呼出信号を検出したか否かを判断し、呼出信号を検出するとＳ１８に進み、呼出信号を検出していないとＳ１６に進む。
【００３０】
Ｓ１８では、信号線２０ａに信号レベル「１」の信号を出力し、ＣＭＬをオンする。Ｓ２０では、図示しないタイマに１．８ｓｅｃをセットする。すなわち、ＣＭＬオン後、１．８ｓｅｃ経過後にＣＥＤ信号の送信を開始する。
【００３１】
Ｓ２２では、信号線２８ａを介して登録回路２８に登録されている時間を入力し、ウェイトタイマにセットする。
【００３２】
Ｓ２４では、ウェイトタイマがタイムオーバーしたか否かを判断し、タイムオーバーするとＳ３０に進み、Ｖ．２１前手順、Ｖ．１７、Ｖ．２９、Ｖ．２７ｔｅｒの画伝送、Ｖ．２１後手順を順次し、Ｓ３２に進む。
【００３３】
また、Ｓ２４でウェイトタイマがタイムオーバーしていないとＳ２８に進む。Ｓ２８では、信号線２４ａの情報を入力し、転極パルスを検出したか否かを判断し、転極パルスを検出するとＳ３６に進み、転極パルスを検出していないとＳ２６に進む。
【００３４】
Ｓ３２では、信号線２４ａの情報を入力し、転極パルスを検出したか否かを判断し、転極パルスを検出するとＳ３６に進み、転極パルスを検出していないとＳ３４に進む。
【００３５】
Ｓ３４では、ファクシミリ通信が終了したか否かを判断し、終了するとＳ４に進み、終了していないとＳ３０に進む。一方、Ｓ３６では、発呼端末が通信途中に回線断とした旨を通信結果レポートに記録し、Ｓ４に進む。
【００３６】
また、Ｓ３８では、１．８ｓｅｃのタイマがタイムオーバーしているか否かを判断し、タイムオーバーするとＳ４０に進み、Ｖ．２１前手順を行い、タイムオーバーしていないとＳ４２に進む。Ｓ４２では、ウェイトタイマがタイムオーバーしたか否かを判断し、タイムオーバーするとＳ３０に進み、タイムオーバーしていないとＳ４０に進む。
【００３７】
以上のようにして、着信時にＣＭＬをオンしてから電圧供給がおくれるターミナルアダプタが接続されていても、この電圧供給によって転極パルスと誤判定することを防止でき、適正な通信を確保できる。
【００３８】
次に、本発明の第２実施例について説明する。
【００３９】
この第２実施例では、自動着信時に呼出信号を検出時に、直流ループを捕捉し、その後、所定時間経過以内に転極パルスを検出する割合が所定割合以上であると、この直流ループ捕捉から転極パルスの検出を開始するまでの所定時間を長くするように制御するものである。なお、所定時間は最大値（２ｓｅｃ）を決めて、初期値から一定時間ずつ長くしていくようにする。
【００４０】
図６、図７は、この第２実施例における制御回路２０の制御のうち、上記第１実施例（図２〜図５）と異なる部分を示すフローチャートである。
【００４１】
図６において、まずＳ５０はＳ０を表わしている。そして、Ｓ５２では、通信カウンタに０をセットし、Ｓ５４では転極パルス検出による通信エラーカウンタに０をセットする。そして、Ｓ５６ではＳ２に進む。
【００４２】
また、Ｓ５８はＳ３６を表わしている。そして、Ｓ６０では、エラーカウンタの値を１つインクリメントし、Ｓ６４に進む。また、Ｓ６２に示すように、上記Ｓ３４のＹＥＳより、Ｓ６４に進む。
【００４３】
Ｓ６４では、通信カウンタの値を１つインクリメントする。Ｓ６６では、通信カウンタの値が５以上であるか否かを判断し、５以上であるとＳ７０に進み、５未満であるとＳ６８（Ｓ４）に進む。
【００４４】
Ｓ７０では、エラーカウンタが３以上であるか否かを判断し、３以上であるとＳ７２に進み、３未満であるとＳ５２に進む。
【００４５】
Ｓ７２では、信号線２８ａを介して登録回路２８に格納されている所定時間が１．８ｓｅｃ以上であるか否かを判断し、１．８ｓｅｃ以上であるとＳ７４に進み、所定時間として２ｓｅｃを登録回路２８に登録し、１．８ｓｅｃ未満であるとＳ７６に進み、登録回路２８に登録されている所定時間値に２００ｍｓを加えて再び登録回路２８に格納する。
【００４６】
以上のようにして、転極パルスの検出開始タイミングをファクシミリ装置側で自動的に設定できる。
【００４７】
次に、本発明の第３実施例について説明する。
【００４８】
この第３実施例は、上述した第２実施例において、所定時間の最大値を設ける場合に、これを直流ループ捕捉後、転極パルスを検出するまでの時間に基づいて決定するようにたものである。
【００４９】
図８は、この第３実施例における制御回路２０の制御のうち、上記第２実施例（図２〜図７）と異なる部分を示すフローチャートである。
【００５０】
まずＳ８０はＳ６０を表わしている。そして、Ｓ８２では、このエラーカウンタに対応し、ＣＭＬオンから転極パルス発生までの時間を記憶する。そしてＳ８６でＳ６４に進む。また、Ｓ８４に示すように、この第３実施例でも第２実施例と同様に、Ｓ６２からＳ６４に進む。
【００５１】
また、Ｓ８８はＳ７０のＹＥＳを表わしている。そしてＳ９０では、エラーカウンタに対応したＣＭＬオンから転極パルス発生までの時間の平均値を求める。なお、この平均値をｔａｖと表わすものとする。
【００５２】
Ｓ９２では、上述したｔａｖが、１．８ｓｅｃ以下であるか否かを判断し、１．８ｓｅｃ以下であるとＳ９８に進み、ｔａｖに０．２ｓｅｃを加えた時間を登録回路２８に登録し、Ｓ１００でＳ５２に進む。また、１．８ｓｅｃをこえるとＳ９４に進み、エラー終了の旨を表示し、Ｓ９６でＳ５２に進む。
【００５３】
また、以上の実施例では、ファクシミリ装置を例に説明したが、本発明はこれに限らず、他のデータ通信装置に広く適用し得るものである。
【００５４】
また、以上のような制御回路の動作は、制御回路内のＣＰＵが制御回路内のＲＯＭやＲＡＭ等に記憶したプログラムに基づいて行われるが、本発明は、このようなプログラムをフロッピディスクやハードディスク、あるいは光磁気ディスクやＣＤ−ＲＯＭ等の外部記憶媒体に格納し、これを専用の読取装置によって制御回路内に取り込み、これを制御回路内のＣＰＵで実行するようにしてもよい。
【００５５】
【発明の効果】
以上説明したように、本願の請求項１〜３に係る発明によれば、通信装置の設置環境に応じた転極パルス検出設定を自動的に行うことができる。
【００５６】
また、本願の請求項４〜６に係る発明によれば、通信装置が通常のＰＳＴＮに接続された場合、あるいは、ＣＭＬオン後の直流電圧の供給が遅いターミナルアダプタに接続された場合でも通信装置の時間設定手段が自動的に判定して対応でき、かつ、発呼側のユーザがすぐに回線断した場合、着呼側でも１秒程度の遅延で回線を解放でき、無効呼を減らすことができる効果がある。
【図面の簡単な説明】
【図１】本発明の一実施例を示すブロック図である。
【図２】本発明の第１実施例の動作を示すフローチャートである。
【図３】上記第１実施例の動作を示すフローチャートである。
【図４】上記第１実施例の動作を示すフローチャートである。
【図５】上記第１実施例の動作を示すフローチャートである。
【図６】本発明の第２実施例の動作を示すフローチャートである。
【図７】上記第２実施例の動作を示すフローチャートである。
【図８】本発明の第３実施例の動作を示すフローチャートである。
【符号の説明】
２…ＮＣＵ、
４…電話機、
６…ハイブリッド回路、
８…変復調器、
１０…ＡＮＳａｍ送出回路、
１２…加算回路、
１４…読取回路、
１６…記録回路、
１８…メモリ回路、
２０…制御回路、
２２…呼出信号検出回路、
２４…転極パルス検出回路、
２６…操作部、
２８…登録回路。
【図１】
0003581542.tif 000002
【図２】
0003581542.tif 000003
【図３】
0003581542.tif 000004
【図４】
0003581542.tif 000005
【図５】
0003581542.tif 000006
【図６】
0003581542.tif 000007
【図７】
0003581542.tif 000008
【図８】
0003581542.tif 000009